(57)【要約】【課題】長時間の立ち仕事により足（膝よりも下の部位）に発生した浮腫を簡素な構成で無くす。【解決手段】少なくとも上側の部位が可撓性を備えた膜状部材で構成され、起立している人の足裏から大腿部の上端までの高さ寸法よりも値が大きく、起立している人の足裏から頚部までの高さ寸法よりも値が小さい深さの水が内部に入る袋状容器３と、袋状容器３の開口部１１が上側を向いて開口するように袋状容器３を支持する容器支持体５とを有する水圧マッサージ装置１である。【選択図】図２
2013158627.tif 000002
【特許請求の範囲】
【請求項１】
水圧を利用して、人の下肢における膝から下の部位の浮腫を取り除くマッサージ装置であって、
起立している人の足裏から大腿部の上端までの高さ寸法よりも値が大きく、起立している人の足裏から頚部までの高さ寸法よりも値が小さい深さの水が内部に入る容器を有することを特徴とする水圧マッサージ装置。
【請求項２】
請求項１に記載の水圧マッサージ装置において、
前記容器は、少なくとも一部が可撓性を備えた膜状部材で構成されている容器であり、
前記容器の開口部が上側を向いて開口するように前記容器を支持する容器支持体を有することを特徴とする水圧マッサージ装置。
【請求項３】
請求項１または請求項２に記載の水圧マッサージ装置において、
前記容器は、枡状に形成されており、高さ方向の中間部で側部の一部が外側に膨らんでいることを特徴とする水圧マッサージ装置。
【請求項４】
請求項１〜請求項３のいずれか１項に記載の水圧マッサージ装置において、
前記容器支持体は、前記容器の外側から前記容器を支持しており、
前記容器支持体には、前記容器側に突出している突起が形成されており、
前記突起によって前記容器の側部の一部が内側に押されることで、前記容器内に腰掛部が形成される構成であることを特徴とする水圧マッサージ装置。
【請求項５】
請求項１〜請求項４のいずれか１項に記載の水圧マッサージ装置において、
前記容器の下端もしくは下端の近傍から、少なくとも前記容器の深さと等しい長さ延出している排水用ホースを有し、
前記排水用ホースの先端部もしくは先端部の近傍の部位が、前記容器の上端もしくはこの近傍の部位に着脱自在になっていることを特徴とする水圧マッサージ装置。
【請求項６】
請求項２に記載の水圧マッサージ装置において、
前記容器は、胴付き長靴の本体部であり、
前記容器支持体は、前記胴付き長靴のサスペンダであることを特徴とする水圧マッサージ装置。
【請求項７】
請求項１に記載の水圧マッサージ装置において、
前記容器の内部には、上面部を備えた腰掛用部材が設けられており、
前記腰掛用部材は、上面部が上方を向いてほぼ水平方向に展開している水平姿勢、もしくは、上面部が側方を向いて前記容器の内壁の近くで上下方向に展開ししかも重心が前記水平姿勢における重心の位置よりも上側に位置する垂直姿勢になるように、一端部が前記容器に回動自在に係合しており、
前記容器内に水を入れたときには、水の浮力によって、前記腰掛用部材が前記垂直姿勢になるように構成されていることを特徴とする水圧マッサージ装置。
【請求項８】
水圧を利用して、人の下肢における膝から下の部位の浮腫を取り除く水圧マッサージ装置であって、
人の胸部と腹部と大腿部とが中に入る胸・腹大腿収納部と、深さが前記胸・腹大腿収納部の深さよりも深くなっており、前記胸・腹大腿収納部につながっており、前記人の下腿部が中に入る下腿収納部とを備えて構成された容器を有することを特徴とする水圧マッサージ装置。
【請求項９】
請求項８に記載の水圧マッサージ装置において、
前記胸・腹大腿収納部の底面は、前記下腿収納部側で浅く、前記下腿収納部から離れるにしたがって次第に深くなるように傾斜していることを特徴とする水圧マッサージ装置。
【発明の詳細な説明】
【技術分野】
【０００１】
本発明は、水圧マッサージ装置に係り、特に、人の足をマッサージするものに関する。
【背景技術】
【０００２】
人体の血液の循環においては、心臓から動脈で送り出された血液が、毛細血管を経由して静脈を通り心臓に戻ってくる。そして、身長の差異にもよるが、直立姿勢で心臓は概ね地上から１ｍから１．５ｍに位置しているため、つま先から血液が心臓に戻る際には、０．１気圧以上の圧力が必要であり、下半身の静脈は常に加圧された状態になっている。これにより、飲食店等で一日中立ち仕事をし、また一日中歩き回る人などでは、過度に疲れまた代謝が不十分となり、下半身にうっ血、浮腫が発生する。長い間には、圧力に耐え切れなくなった静脈でしばしば静脈瘤が形成されて、手術により、これを取り除く必要が出てくる。また、日々の浮腫（むくみ、下半身の細胞内に過剰に滞留したリンパ液・水分などの組織液）は、就寝中下半身が圧力から開放されることで、頻尿を発生させる。（以上を「健康被害」という。）
この健康被害を手軽に予防し、改善しうる如何なる技術がありうるかとの問題意識から、参考となるようなこれまでの技術を特許文献で検索したところ、以下の技術文献が散見された。
【先行技術文献】
【特許文献】
【０００３】
【特許文献１】特開２００５−２１８５８７号公報
【特許文献２】特開平５−１８４６３５号公報
【特許文献３】特開２００３−１００５８号公報
【特許文献４】特開２００６−６８５４号公報
【発明の概要】
【発明が解決しようとする課題】
【０００４】
しかし、前述の問題意識から上記従来のマッサージ装置を検討すると、構成が複雑であり、また、上記従来のマッサージ装置に、足（膝よりも下の部位）に発生した健康被害を防止し改善する効果を期待することは難しい。
【０００５】
また、従来、水深1メートル程度のプールにおいて、歩行ストレッチをするなどして健康増進を図ることは、広く社会において行われている。しかしながら、自宅にプールを設置することは一般家庭では不可能である。また働き盛りの就業者、健康増進を図る必要がある高齢者、介護施設でリハビリを行っている要介護者などはプールを備えた施設を利用することに困難が伴う。そこで、前述の健康被害を取り除き減少させるため、自宅ないしは病院・介護施設などで手軽に効果の得られる水圧マッサージ装置があるなら上記課題を解決することができる。
【０００６】
要するに本発明は、従来のものよりも簡素な構成で、飲食店等で長時間の立ち仕事などによって下半身に発生する健康被害、即ち特に膝よりも下の部位の組織内に滞留した組織液を原因として発生した浮腫を取り除くこと、また、長期間下半身に加わる内部圧力で生ずる静脈瘤発生の軽減効果を得ることを目的とする。
【課題を解決するための手段】
【０００７】
請求項１に記載の発明は、水圧を利用して、人の下肢における膝から下の部位の浮腫を取り除くマッサージ装置であって、起立している人の足裏から大腿部の上端までの高さ寸法よりも値が大きく、起立している人の足裏から頚部までの高さ寸法よりも値が小さい深さの水が内部に入る容器を有する水圧マッサージ装置である。
【０００８】
請求項２に記載の発明は、請求項１に記載の水圧マッサージ装置において、前記容器は、少なくとも一部が可撓性を備えた膜状部材で構成されている容器であり、前記容器の開口部が上側を向いて開口するように前記容器を支持する容器支持体を有する水圧マッサージ装置である。
【０００９】
請求項３に記載の発明は、請求項１または請求項２に記載の水圧マッサージ装置において、前記容器は、枡状に形成されており、高さ方向の中間部で側部の一部が外側に膨らんでいる水圧マッサージ装置である。
【００１０】
請求項４に記載の発明は、請求項１〜請求項３のいずれか１項に記載の水圧マッサージ装置において、前記容器支持体は、前記容器の外側から前記容器を支持しており、前記容器支持体には、前記容器側に突出している突起が形成されており、前記突起によって前記容器の側部の一部が内側に押されることで、前記容器内に腰掛部が形成される構成である水圧マッサージ装置である。
【００１１】
請求項５に記載の発明は、請求項１〜請求項４のいずれか１項に記載の水圧マッサージ装置において、前記容器の下端もしくは下端の近傍から、少なくとも前記容器の深さと等しい長さ延出している排水用ホースを有し、前記排水用ホースの先端部もしくは先端部の近傍の部位が、前記容器の上端もしくはこの近傍の部位に着脱自在になっている水圧マッサージ装置である。
【００１２】
請求項６に記載の発明は、請求項２に記載の水圧マッサージ装置において、前記容器は、胴付き長靴の本体部であり、前記容器支持体は、前記胴付き長靴のサスペンダである水圧マッサージ装置である。
【００１３】
請求項７に記載の発明は、請求項１に記載の水圧マッサージ装置において、前記容器の内部には、上面部を備えた腰掛用部材が設けられており、前記腰掛用部材は、上面部が上方を向いてほぼ水平方向に展開している水平姿勢、もしくは、上面部が側方を向いて前記容器の内壁の近くで上下方向に展開ししかも重心が前記水平姿勢における重心の位置よりも上側に位置する垂直姿勢になるように、一端部が前記容器に回動自在に係合しており、前記容器内に水を入れたときには、水の浮力によって、前記腰掛用部材が前記垂直姿勢になるように構成されている水圧マッサージ装置である。
【００１４】
請求項８に記載の発明は、水圧を利用して、人の下肢における膝から下の部位の浮腫を取り除く水圧マッサージ装置であって、人の胸部と腹部と大腿部とが中に入る胸・腹大腿収納部と、深さが前記胸・腹大腿収納部の深さよりも深くなっており、前記胸・腹大腿収納部につながっており、前記人の下腿部が中に入る下腿収納部とを備えて構成された容器を有する水圧マッサージ装置である。
【００１５】
請求項９に記載の発明は、請求項８に記載の水圧マッサージ装置において、前記胸・腹大腿収納部の底面は、前記下腿収納部側で浅く、前記下腿収納部から離れるにしたがって次第に深くなるように傾斜している水圧マッサージ装置である。
【発明の効果】
【００１６】
本発明によれば、上述した課題である飲食店等で長時間の立ち仕事などによって下半身（特に膝よりも下の部位）の組織内に滞留した組織液を原因として発生した浮腫を極めて簡単な構成の装置で取り除くこと、また長期間下半身に加わる内部圧力で生ずる静脈瘤発生の軽減効果を得ることができる。
【図面の簡単な説明】
【００１７】
【図１】本発明の実施形態に係るマッサージ装置の概略構成を示す斜視図である。
【図２】マッサージ装置の概略構成を示す断面図である。
【図３】マッサージ装置における水深と圧力の関係、および、起立している人の足の静脈における高さ位置と血圧の関係を示す図である。
【図４】変形例に係るマッサージ装置の概略構成を示す図であり、（ａ）は平面図であり、（ｂ）は正面図であり、（ｃ）は斜視図である。
【図５】変形例に係るマッサージ装置の概略構成を示す断面図であり、図２に対応した図である。
【図６】変形例に係る袋状容器の概略構成を示す斜視図である。
【図７】変形例に係るマッサージ装置の概略構成を示す斜視図である。
【図８】変形例に係るマッサージ装置の概略構成を示す斜視図である。
【図９】図８で示すマッサージ装置の概略構成を示す断面図である。
【図１０】変形例に係るマッサージ装置の概略構成を示す断面図であって、図９に対応した図である。
【図１１】変形例に係るマッサージ装置の概略構成を示す断面図であって、図９に対応した図である。
【発明を実施するための形態】
【００１８】
水圧マッサージ装置１は、水圧を利用して人の足（下肢における主に膝から下の部位）を加圧しマッサージする機器（浮腫を少なくするか若しくは取り除き足の静脈での血液の流れやリンパ液の流れを良くする装置；人の足の細胞内に毛細血管から過剰に入り込んだ組織液を再び毛細血管内に戻すとともに、人の足の毛細血管から静脈を通り心臓に戻る血液のながれや、リンパ液の流れが、前頸骨静脈や後頸骨静脈や小伏在静脈等の静脈や足部のリンパ管で、改善されるようにするための機器）であり、図１や図２で示すように、袋状容器３と容器支持体５とを備えて構成されている。マッサージ装置１によるマッサージによって、人の細胞内の組織液の循環を促し、下半身のむくみを取り、疲労回復、静脈瘤発生の予防することができる。したがって、マッサージ装置を、組織液循環補助装置とか、細胞内組織液排出促進装置ということもできる。
【００１９】
袋状容器３は、少なくとも一部（たとえば、上側の部位）が可撓性を備えた膜状部材（たとえばゴムシート、もしくは、ビニールシート）で構成されている。また、袋状容器３内には、起立している人の足裏（足底）から大腿部の上端までの高さ寸法よりも値が大きく、起立している人の足裏から頚部までの高さ寸法よりも値が小さい深さの水を、入れることができるようになっている。
【００２０】
袋状容器３について、例を掲げてさらに詳しく説明すると、袋状容器３は、全体が可撓性を備えた膜状部材（水を通さない部材）で構成されている。また、可撓性を備えている膜状部材は、この厚さ方向の力が加わったときに形状が容易に変化するようになっている。たとえば、袋状容器３を人の膝で蹴り上げたときに、袋状容器３の形状が容易に変化し、蹴り上げることをやめれば、もとの形状に復元するようになっている。
【００２１】
また、袋状容器（容器）３は、枡状（たとえば円筒枡状）に形成されている。すなわち、膜状部材によって円筒状に形成された側部７と、円形状の膜状部材で構成され側部７の一方の開口部をふさいでいる底部９とを備えた形状に、袋状容器３が形成されている。
【００２２】
袋状容器３の内径ｄ１は、たとえば５０ｃｍ程度になっており、袋状容器３の高さはたとえば１３０ｃｍ〜１５０ｃｍ程度になっている。また、袋状容器３内には、この底から１２０ｃｍ程度の高さｈ１の水が入れられるようになっている。これにより、水をはった袋状容器３内に人が入って足裏を袋状容器３の底部９につけて直立すると、人の肋骨弓あたりに水面が位置するのである。
【００２３】
なお、袋状容器３の高さ寸法を適宜変えて、袋状容器３内に入れる水の量（高さｈ１）を変えてもよい。そして、水の入った袋状容器３内に人が入って直立したとき、上述した如く、人の腹部（下端もしくは中央部もしくは上端）から胸部（下端もしくは中央部もしくは上端）の間に水面が位置するようにしてもよいし、人の大腿部の上端から頚部（下端もしくは中央部もしくは上端）の間に水面が位置するようにしてもよい。
【００２４】
水面の高さｈ１であるが、人が袋状容器３内に入ったときの値であるので、人が袋状容器３内に入っていないときの水面は、人が袋状容器３内に入ったときの水面よりも下にある。
【００２５】
また、袋状容器３の内径ｄ１を、袋状容器３内に人がやっと入ることができる程度の大きさ（人の体の外径よりも僅かに大きい程度）から１００ｃｍの範囲内で適宜変更してもよい。
【００２６】
また、袋状容器３内に入れる水の温度は、人の体温程度であることが望ましいが、季節により３０℃〜３８℃の範囲であってもよいし、２５℃〜４３℃の範囲内であってもよい。
【００２７】
容器支持体５は、剛性の高い金属等の材料で構成されており、袋状容器３の開口部１１が上側を向いて開口するように袋状容器３を支持するものである。
【００２８】
容器支持体５で支持されている袋状容器３は、上端が開口し内部に水を蓄えることができるようになっている。水が入った袋状容器３を支持している容器支持体５には、水の重量がかかるが、袋状容器３は、容器支持体５で支持されている状態を保っている。
【００２９】
容器支持体５について、例を掲げてさらに詳しく説明すると、容器支持体５は１枚の底板部１３と側板部１５を備えて構成されている。底板部１３は矩形な平板状に形成されている。側板部１５は、平面視で「コ」字状に形成されており、底板部１３の３つの辺から上方に向かって所定の高さ（袋状容器３と同程度の高さ）起立している。
【００３０】
また、袋状容器３は、開口部１１近傍の外周部で、底板部１３の上端近傍の部位に係合して、支持されている。すなわち、図示しないフック等やファスナ等の支持具を介して、袋状容器３が容器支持体５に支持されている
そして、水圧マッサージ装置１では（袋状容器３が容器支持体５に支持されている状態では）、袋状容器３が容器支持体５の内側に位置し、袋状容器３の底部９が容器支持体５の底板部１３に接しており、袋状容器３の高さ方向が、容器支持体５の側板部１５の起立方向と一致している。なお、容器支持体５の側部７が容器支持体５の側板部１５に接しているか、もしく、容器支持体５の側部７が容器支持体５の側板部１５から僅かに離れている。
【００３１】
なお、袋状容器３内に水を入れると、袋状容器３に応力が発生するが、袋状容器３が上記応力に対して十分な強度を有してない場合や、袋状容器３が外側に大きく膨らんでしまう場合には、環状の補強部材（ベルト）１７を袋状容器３の外周に設けて、袋状容器３を補強してもよい。また、補強部材を、袋状容器３の高さ方向に延伸させて、袋状容器３の外周に設けてもよい。
【００３２】
次に、水圧マッサージ装置１の使用方法について説明する。
【００３３】
まず、水の入っていない袋状容器３内に人が起立した状態で入る。続いて、袋状容器３内に水Ｗを入れる。水Ｗの量は、水面がたとえば人の肋骨弓に位置する程度とする。水Ｗを入れるだけで、重力によって生じる水圧による足のマッサージが開始される。
【００３４】
上記状態を所定時間維持した後、水Ｗを袋状容器３から排出することで、マッサージを終了し、この後、袋状容器３から人が外に出る。
【００３５】
なお、上記使用方法において、袋状容器３内に水Ｗを入れた後、人が袋状容器３内に入ってもよい。また、人が袋状容器３から出た後に、袋状容器３から水Ｗをぬいてもよい。
【００３６】
水圧マッサージ装置１によれば、袋状容器３内に人が直立した状態で入ると、水面が人の肋骨弓あたりに位置するので、人の足（膝よりも下の部位）にほどよい水圧がかかる。これにより、長時間の立ち仕事により足に発生した浮腫を少なくしもしくは無くすことができる。また、重力による水圧で人の足に圧力をかける構成であるので、水圧マッサージ装置１の構成が簡素になっている。
【００３７】
すなわち、飲食店等で長時間の立ち仕事などによって下半身（特に膝よりも下の部位）の組織内に滞留した組織液を原因として発生した浮腫を極めて簡単な構成の装置で取り除くことができる。また、長期間下半身に加わる内部圧力で生ずる静脈瘤発生の軽減効果を得ることができる。
【００３８】
さらに説明すると、水をはった袋状容器３内に直立した人が入ると、水面のところに位置する人の肋骨弓あたりでは、水圧がほぼ「０」気圧（ゲージ圧）になっている。一方、足のふくらはぎのあたりには、袋状容器内の水によって「０．１」気圧（ゲージ圧）程度の圧力がかかっている。これによってふくらはぎ等がほどよく加圧され、浮腫を生成している過剰な水分等が細胞内から毛細血管内に戻り、浮腫や静脈瘤の発生をほぼ無くすことができ、健康被害の発生を回避することができる。
【００３９】
図３を用いてさらに説明する。図３に示すグラフの横軸は、図２に示す水面からの深さｘを示しており、縦軸は圧力を示している。図３に破線で示す線図Ｇ１は、図２に示す水Ｗによる水圧の変化を示している。図３に実線で示す線図Ｇ２は、図２に示すの足の静脈の血圧を示している。なお、線図Ｇ１の縦軸の尺度と線図Ｇ２の縦軸の尺度とは必ずしもお互いが一致してるものではない。図３から理解されるように、ｘ寸法が大きくなると、足の静脈の血圧は減少するが、水圧が上昇して足に圧力を加えるので、血液の流れが促進され、浮腫や静脈瘤の発生を無くすことができる。
【００４０】
すなわち、人が自然状態で直立した場合、血液を心臓に戻すため身体の下部ほど静脈圧力が高くなっている。これによって、必然的に血液の渋滞が発生し、組織液の滞留と静脈の衰えが生ずる。しかし、水圧マッサージ装置１を用いたマッサージを行えば、下半身に外部から加わる圧力が下部（容器３の水深が深い）ほど高くなり、下半身からの血液循環を容易にする。このことにより、下半身の静脈に加わる内部圧力も軽減され、長時間の立ち仕事などによって下半身（特に膝よりも下の部位）の組織内に滞留した組織液を原因として発生した浮腫を極めて簡単な装置で取り除くことができる。
【００４１】
また、袋状容器３の内径が５０ｃｍ程度になっているので、マッサージのための袋状容器３内に入れる水の量を少なくすることができ水を節約することができる。
【００４２】
また、袋状容器３が可撓性を備えているので、袋状容器３の内径が人の外径より僅かに大きい程度でも、袋状容器３の内部で膝曲げ等の軽い運動が可能であり（図２の二点鎖線参照）、この運動によって浮腫を一層効率良く無くすことができる。また、水圧マッサージ装置１を使用しないとき、袋状容器３を折りたたむことができ収納しやくなる。
【００４３】
ところで、水圧マッサージ装置１において、袋状容器３の形態を適宜変えてもよい。図４に示す袋状容器３では、袋状容器３の高さ方向の中間部で側部の一部が外側に膨らんでいる。
【００４４】
詳しく説明すると、袋状容器３の側部には、たとえば、三角柱状の凸部（断面形状では「く」字状の凸部）１９が形成されている。凸部１９は、容器３の高さ方向で、たとえば容器３の底から４０ｃｍの箇所〜容器３の底から９０ｃｍの箇所にかけて設けられている。また、三角柱の高さ方向が水平方向になるようにして、凸部１９が設けられている。三角柱の高さの値は、円筒の外径と等しいか、もしくは、円筒の外径よりも小さくなっている。
【００４５】
水をはった袋状容器３内に人が直立した状態で入り、膝を曲げて前上方に移動する運動したときに、袋状容器３内の、凸部１９で形成された部位に、膝とこの周辺の部位が入り込むようになっている。また、曲げた膝が袋状容器３にぶつかり難くなっている。
【００４６】
これにより、水を張った袋状容器３内に入った人が、袋状容器３の内部で膝曲げ等の軽い運動を一層しやすくなる。
【００４７】
なお、図１や図４に示す容器３では、容器３全体が円筒状になっているが、容器３の上下方向で、容器３の断面（水平面による断面）の形状や大きさが変化していてもよい。たとえば、容器３の底〜容器３の底から４０ｃｍの箇所の間では、３０ｃｍ（容器３内に人が入った場合の左右方向の寸法）×４０ｃｍ（容器３内に人が入った場合の前後方向の寸法）程度の楕円形になっている。また、容器３の底から４０ｃｍの箇所〜容器３の底から１４０ｃｍの箇所の間では、５０ｃｍ（容器３内に人が入った場合の左右方向の寸法）×６０ｃｍ（容器３内に人が入った場合の前後方向の寸法）程度の楕円形になっている。
【００４８】
また、水圧マッサージ装置１において、図４で示すように、袋状容器３に排水用ホース２１を設けてもよい。
【００４９】
排水用ホース２１は、袋状容器３の下端もしくは下端の近傍から少なくとも袋状容器３の深さと等しい長さ延出している。排水用ホース２１の先端部もしくは先端部の近傍の部位は、袋状容器３の上端もしくはこの近傍の部位で、袋状容器３に面ファスナー等によって着脱自在になっている。
【００５０】
マッサージを終了させるとき、水をはった袋状容器３内に入った人が、排水用ホース２１を袋状容器３から外すと、可撓性を備えた排水用ホース２１が、袋状容器３から離れて落下し水平になった排水用ホース２１から袋状容器３内の水が排出される。これにより、他人の助けを借りることなく、袋状容器３内の水を容易に排出することができる。なお、図１や図２に示す袋状容器３以外の他の袋状容器に排水用ホース２１を設けてもよい。
【００５１】
また、水圧マッサージ装置１において、図５で示すように、容器支持体５に突起２３を設けてもよい。
【００５２】
すなわち、容器支持体５は、袋状容器３の外側から袋状容器３を支持している。容器支持体５には、袋状容器３側（内側）に突出している突起２３が形成されている。突起２３で袋状容器３の側部の一部が袋状容器３の内側に押されることで、袋状容器３内に腰掛部２５が形成されように構成されている。突起２３は、容器支持体５の側板部１５に一体的に設けられている。
【００５３】
これにより、水をはった袋状容器３内に入った人が直立した姿勢から無理することなく中腰の姿勢になってその姿勢を維持することができるので、水をはった袋状容器３内でゆったりした姿勢で長い時間マッサージを受けることができる。
【００５４】
また、水圧マッサージ装置１において、図６で示すように、袋状容器３を下側容器構成体２７と上側容器構成体２９とで構成してもよい。下側容器構成体２７は金属や厚めの合成樹脂で構成されており、剛性が高く容易には変形しないようになっている。下側容器構成体２７として、タライ、バケツ、洗面器等を用いることができる。下側容器構成体２７の高さは、たとえば、人の膝の高さの半分程度になっている。上側容器構成体２９は、可撓性を備えている。
【００５５】
なお、図６では容器３が円筒状になっているが（容器３の高さ方向で、容器３の内径がほぼ一定になっているが）、容器３の内径が高さ方向で変化していてもよい。たとえば、容器３の下端で内径が最も小さく、容器３の上側にいくにしたがって、内径が次第に大きくなっていてもよい。
【００５６】
さらに、図１等で示すマッサージ装置１において、袋状容器３を削除し、容器支持体５の開口している側部を、可撓性を備えた膜状部材で蓋をして枡状にし、これに直接水を入れることで、マッサージ装置を構成してもよい。この場合において、マッサージ装置を円筒枡状に形成してもよいし、膜状部材に図４で示す場合と同様にして凸部１９を設けてもよい。
【００５７】
また、水圧マッサージ装置１を、図７で示すように、胴付き長靴（ズン胴の長靴；人の胸まで防水する長靴）３５で構成してもよい。この場合、胴付き長靴の本体部３１が袋状容器３になり、胴付き長靴のサスペンダ３３が、容器支持体５になる。
【００５８】
水圧マッサージ装置１を胴付き長靴３５で構成した場合、人が胴付き長靴３５を履いた状態で胴付き長靴３５内に水を入れれば、胴付き長靴３５が、水圧マッサージ装置１になる。
【００５９】
なお、図７で示す水圧マッサージ装置では、胴付き長靴３５を人が履いて、マッサージのために胴付き長靴の本体部３１に水を入れると、水の重量が、サスペンダ３３が掛けられている人の肩にかかってしまう。この水の重量が肩にかかることを避けるために、図１等で示すような容器支持体を別途設け、この容器支持体にサスペンダ３３を掛けてもよい。また、図１等で示すような容器支持体を別途設け、この容器支持体で、胴付き長靴の本体部３１を直接支持するようにしてもよい。
【００６０】
さらに、図１〜図２、図４、図６で示した袋状容器３にサスペンダを設けて、水圧マッサージ装置１としてもよい。
【００６１】
また、図７で水圧マッサージ装置１において、本体部３１の内部に水を入れたとき、本体部３１の剛性不足によって、本体部３１が外側に膨らんでしまう場合には、図２で示した補強部材１７等を用いて、本体部３１を適宜補強し、膨らみを少なくすればよい。
【００６２】
図７に示す水圧マッサージ装置１によれば、市販の胴付き長靴３５を履いて内部に水を入れるだけで、マッサージ効果を得ることができ、便利である。
【００６３】
ところで、水圧マッサージ装置１を、図８や図９で示すように変形してもよい。図８や図９に示すマッサージ装置１では、容器３が円筒枡状に形成されており、容器３の全体が剛性を備えている。また、容器３には図４で示すものと同様な凸部１９が形成されている。なお、凸部１９を削除した構成であってもよい。
【００６４】
図８や図９に示すマッサージ装置１では、容器３の側部７の上方に開閉自在な扉３７が設けられている。扉３７は、閉位置Ｐ１と開位置Ｐ２との間を回動するようになっている。扉３７の上端は、容器３の上端の開口部と一致している、扉３７の下端位置は、直立している人の大腿部の付け根程度の高さに位置している（容器３の底から９０ｃｍ程度の高さになっている）。
【００６５】
また、図８や図９に示すマッサージ装置１には、階段状の踏み台３９が設けられている。踏み台３９の最上段の高さは、扉３７の下端の高さとほぼ一致している。
【００６６】
図８や図９に示すマッサージ装置１を使用する場合には、まず、容器３内に所定量の水（水面が扉３７の下端よりも下に位置する程度の量の水）を入れておき、扉３７を開けておく。
【００６７】
この状態で、踏み台３９に昇り、開いている扉３７を通って、容器３内に入り、両足の裏を容器３の底面につけて起立する。
【００６８】
続いて、扉３７を閉めて、容器３内に水を補充し、水面の高さを１２０ｃｍ程度にし、人へのマッサージをおこなう。
【００６９】
なお、扉３７の下端位置を、直立している人の膝程度の高さに位置させてもよい。そして、踏み台３９を削除してもよい。
【００７０】
また、図８や図９に示すマッサージ装置１において、図１０で示すように、容器３の内部に、容器内に入った人が腰掛けるための腰掛用部材４１を設けてもよい。
【００７１】
腰掛用部材４１は、容器内に入った人が腰掛けたときに人の臀部が当接する上面部を備えている。具体的には、腰掛用部材４１は、平板状に形成されている。
【００７２】
掛用部材４１は、水平姿勢Ｐ３、もしくは、垂直姿勢ＰＳ４になるように、一端部が容器３に回動自在に係合している。水平姿勢Ｐ３は、上面部が上方を向いてほぼ水平方向に展開している姿勢である。垂直姿勢ＰＳ４は、上面部が側方を向いて容器３の内壁（側部７の内壁）の近くで上下方向に展開ししかも重心が水平姿勢ＰＳ３における重心の位置よりも上側に位置する姿勢である。
【００７３】
容器３の中に入り腰掛用部材４１に腰掛けた人の臀部は腰掛用部材４７の上面部に接触しており、腰掛用部材４７に腰掛けた人はたとえば中腰の状態になっている。
【００７４】
また、容器３内に水を入れたときには、水の浮力によって、腰掛用部材４１が垂直姿勢Ｐ４になるように構成されている。
【００７５】
腰掛用部材４１は、たとえば、空気を通さないアクリル等の材料で構成されており内部に空洞が形成されており、比重が水よりも小さくなっている。そして、容器３に水を入れたときに浮力で腰掛用部材４１が垂直姿勢Ｐ４になる。一方、容器３の水を抜くと、重力で腰掛用部材４１は水平姿勢Ｐ３になるが、容器３の水を抜いても、腰掛用部材４１が垂直姿勢Ｐ４のままであってもよい。
【００７６】
また、水をはった容器３内に人が入り、腰掛用部材４１を腰掛として使用する場合は、人が手動で、浮力にさからって腰掛用部材４１を水平姿勢Ｐ３にする。
【００７７】
図１０に示すマッサージ装置１によれば、容器３内に水を入れたときには、水の浮力によって、腰掛用部材４１が垂直姿勢Ｐ４になるので、水をはった容器３内に人が入るときに、容器３内に設けられている腰掛用部材４１が邪魔にならず、人が容器３内に入りやすくなる。
【００７８】
なお、図８〜図１０で示すマッサージ装置１の容器３において、図１や図４に示す容器３と同様にして、容器３の上下方向で、容器３の断面（水平面による断面）の形状や大きさを適宜変化させてもよい。
【００７９】
ところで、水圧を利用して、人の下肢における膝から下の部位の浮腫を取り除くマッサージ装置１を、図１１で示すように構成してもよい。
【００８０】
図１１で示すマッサージ装置１は、剛性を備えた容器３を備えて構成されている。
【００８１】
この容器３は、胸・腹大腿収納部４３と、下腿収納部４５とを備えて構成されている。
【００８２】
胸・腹大腿収納部４３内には、椅子に腰掛けた姿勢にある人の胸部と腹部と大腿部とが中に入るようになっている。下腿収納部４５には、椅子に腰掛けた姿勢にある人の下腿部（膝よりも下の部位）が中に入るようになっている。下腿収納部４５は、胸・腹大腿収納部４３とつながって連続しており、下腿収納部４５の深さは胸・腹大腿収納部４３の深さよりも深くなっている。
【００８３】
さらに説明すると、図１１で示すように、容器３に入った人（椅子に腰掛けた姿勢の人）においては、背中が胸・腹大腿収納部４３の内壁の側面（下腿収納部４５とは反対側に位置している側面）に接触し、大腿部の背側の面が胸・腹大腿収納部４３の内壁の底面に接触し、足裏が下腿収納部４５の内壁の底面に接触している。
【００８４】
また、図１１で示すように、胸・腹大腿収納部４３の内壁の側面と底面との境界部は円弧状になっており、容器３に入った人の臀部が、上記円弧状の部位に接触するようになっている。さらに、大腿部が概ね水平方向に延伸し、胸部と腹部と下腿部とが概ね鉛直方向に延伸している。
【００８５】
すなわち、大腿部を腹部に対してほぼ直交させ大腿部を水平方向に延伸させ下腿部を大腿部に対してほぼ直交させた姿勢（椅子に腰掛けた姿勢）で、容器３に人が入ると、深底部に下腿部が入り込み深底部の底面に足裏が面接触するのである。
【００８６】
また、図１１で示すように、水をはった容器３では、下腿収納部４５の内壁の底面から水面までの寸法が、１ｍ〜１．４ｍ（より好ましくは１．２ｍ）になっており、水をはった容器３に人が入れば、人の頚部から上の部分が水面から出るようになっている。
【００８７】
図１１で示すマッサージ装置１では、容器３は図１１の紙面に対して直交する方向で所定の幅を有している。この幅寸法は、５０ｃｍ〜１００ｃｍもしくは６０ｃｍ〜８０ｃｍもしくは７０ｃｍ〜８０ｃｍ程度になっている。
【００８８】
なお、図１１で示すマッサージ装置１の容器３の形態は、通常の家庭に設置されている１人用の浴槽の一部を深くしたものとして把握することもできる。すなわち、通常の浴槽の一端部側に、深底部を設けたものとして把握することができる。
【００８９】
図１１で示すマッサージ装置１によれば、胸・腹大腿収納部４３と下腿収納部４５とを備えて容器３が構成されているので、容器３に入ってマッサージを受けようとする人は、普通の（市販の）家庭用風呂に入る感覚で緊張することなくマッサージを受けることができる。また、容器３内に体を入りやすくなっている。
【００９０】
図１１で示すマッサージ装置１では、胸・腹大腿収納部４３の底面が、水平面に対して僅かに傾斜している斜面になっている。すなわち、胸・腹大腿収納部４３の底面が、下腿収納部４３側で浅く、下腿収納部４３から離れるにしたがって次第に深くなるように傾斜している。
【００９１】
図１１で示すマッサージ装置１によれば、胸・腹大腿収納部４３の底面が下腿収納部４５側で浅く記下腿収納部４５から離れるにしたがって次第に深くなるように傾斜しているので、人が容器３に入るときの事故の発生を防ぐことができる。
【００９２】
すなわち、人が容器３に体を入れるとき、まず、一方の片足を胸・腹大腿収納部４３に突っ込んで胸・腹大腿収納部４３の底面に一方の片足をつき、この後、他方の片足も胸・腹大腿収納部４３に突っ込んで胸・腹大腿収納部４３の底面に他方の片足をつき、この後、一方の片足を下腿収納部４５に突っ込んで下腿収納部４５の底面に一方の片足をつき、他方の片足も下腿収納部４５に突っ込んで下腿収納部４５の底面に他方の片足をつき、この後、胸部と腹部とを胸・腹大腿収納部４３に沈める。
【００９３】
このような、人が容器３に体を入れる動作において、一方（他方）の片足を胸・腹大腿収納部４３に突っ込んで胸・腹大腿収納部４３の底面に一方（他方）の片足をついたときに、胸・腹大腿収納部４３の底面が傾斜しているので、足が滑って下腿収納部４５に誤って落下してしまうことを防止することができるのである。
【００９４】
なお、図１１で示すマッサージ装置１の容器３において、破線で示すように、容器３の上方を狭くすれば、水Ｗの使用量を少なくすることができ、水Ｗの節約になる。
【００９５】
また、図１１で示すマッサージ装置１を使用する場合、下腿収納部４５の底部で水の温度が他の箇所よりも低くなってしまうおそれがある。これを回避するために、下腿収納部４５の底部で水の温度をあげるためのヒータ（下腿収納部４５の底部を加熱するヒータ）を設けてもよい。
【００９６】
さらに、図１１で示すマッサージ装置１を使用する場合、人の下腿部が浮力で浮いてしまうことを防ぐために、下腿収納部４５の底部もしくこの近くに、足掛け部を設けてもよい。足掛け部は、たとえば、足の甲に接触して、足が浮いてしまうことを防止する部材（容器３の内部で容器３に一体的に設けられた部材）で構成されているものとする。より具体的には、下駄やサンダルの鼻緒状の足掛け部が、下腿収納部４５の底部に設けられていればよい。
【符号の説明】
【００９７】
１  マッサージ装置
３  袋状容器
５  容器支持体
１１  開口部
１９  凸部
２１  排水用ホース
２３  突起
３１  胴付き長靴の本体部
３３  胴付き長靴のサスペンダ
３５  胴付き長靴
４１  腰掛用部材
４３  胸・腹大腿収納部
４５  下腿収納部
【図１】
2013158627.tif 000003
【図２】
2013158627.tif 000004
【図３】
2013158627.tif 000005
【図４】
2013158627.tif 000006
【図５】
2013158627.tif 000007
【図６】
2013158627.tif 000008
【図７】
2013158627.tif 000009
【図８】
2013158627.tif 000010
【図９】
2013158627.tif 000011
【図１０】
2013158627.tif 000012
【図１１】
2013158627.tif 000013